(57)【要約】【課題】光ディスク及びＨＤＤから所望の音楽データを選択する。【解決手段】固有のシリアル番号が付されており、音楽データが記録されているリムーバブルな第１の記録媒体から当該シリアル番号と当該音楽データとを読み出す第１の読出部１０と、第１の読出部１０により読み出した音楽データに所定の処理を行なう処理部と、処理後の音楽データに第１の読出部１０で読み出したシリアル番号を関連づけて第２の記録媒体に記録する第１の記録部１２と、イメージデータが記憶されているリムーバブルな記憶媒体が挿入されたかどうかを検出する検出部と、当該記憶媒体から所定のイメージデータを読み出す第２の読出部１２と、第２の読出部１２により読み出したイメージデータを、第２の記録媒体に記録されている所定のシリアル番号に関連づけて第２の記録媒体に記録する第２の記録部１２とを備える。【選択図】  図１
2004295994.tif 000002
【特許請求の範囲】
【請求項１】
固有のシリアル番号が付されており、音楽データが記録されているリムーバブルな第１の記録媒体から当該固有のシリアル番号と当該音楽データとを読み出す第１の読出手段と、
上記第１の読出手段により読み出した音楽データに所定の処理を行なう処理手段と、
上記処理手段による処理後の音楽データに上記第１の読出手段で読み出したシリアル番号を関連づけて第２の記録媒体に記録する第１の記録手段と、
イメージデータが記憶されているリムーバブルな記憶媒体が挿入されたかどうかを検出する検出手段と、
上記検出手段により上記記憶媒体が挿入されたことを検出した場合には、当該記憶媒体から所定のイメージデータを読み出す第２の読出手段と、
上記第２の読出手段により読み出したイメージデータを、上記第２の記録媒体に記録されている所定のシリアル番号に関連づけて上記第２の記録媒体に記録する第２の記録手段とを備えることを特徴とする記録再生装置。
【請求項２】
上記第２の読出手段は、上記記憶媒体に記憶されているイメージデータの中から、記憶された日時が一番新しいイメージデータを選択して読み出すことを特徴とする請求項１記載の記録再生装置。
【請求項３】
上記第２の記録手段は、上記第２の読出手段で読み出したイメージデータを、上記第２の記録媒体に記録されているシリアル番号の中から、一番新しいシリアル番号に関連づけて上記第２の記録媒体に記録することを特徴とする請求項１記載の記録再生装置。
【請求項４】
上記第１の記録媒体又は上記第２の記録媒体に記録されいている音楽データを出力する音楽データ出力手段と、
上記第２の記録媒体に記録されているイメージデータを出力するイメージデータ出力手段とを備えることを特徴とする請求項１記載の記録再生装置。
【請求項５】
上記第１の記録媒体に記録されている音楽データから任意の音楽データを選択する第１の音楽データ選択手段と、
上記第１の音楽データ選択手段により選択された音楽データを上記第１の記録媒体から読み出す音楽データ読出手段と、
上記第１の記録媒体に付されているシリアル番号を読み出すシリアル番号読出手段と、
上記シリアル番号読出手段で読み出したシリアル番号と同一のシリアル番号が第２の記録媒体に記録されているかどうかを確認する確認手段と、
上記確認手段により上記第１の記録媒体に付されているシリアル番号と同一のシリアル番号が第２の記録媒体に記録されていることが確認された場合には、第２の記録媒体から当該シリアル番号に関連づけられているイメージデータを読み出すイメージデータ読出手段とを備え、
上記第１の記録媒体から音楽データを再生する場合には、上記音楽データ読出手段により読み出した音楽データを上記音楽データ出力手段から出力し、
上記イメージ読出手段により読み出したイメージデータを上記イメージデータ出力手段から出力することを特徴とする請求項４記載の記録再生装置。
【請求項６】
上記第２の記録媒体に記録されている音楽データから任意の音楽データを選択する第２の音楽データ選択手段と、
上記第２の音楽データ選択手段により選択された音楽データとともに、当該音楽データに関連づけられているイメージデータを上記第２の記録媒体から読み出すデータ読出手段とを備え、
上記第２の記録媒体から音楽データを再生する場合には、上記データ読出手段により読み出した音楽データを上記音楽データ出力手段から出力し、
上記読出手段により読み出したイメージデータを上記イメージデータ出力手段から出力することを特徴とする請求項４記載の記録再生装置。
【請求項７】
固有のシリアル番号が付されており、音楽データが記録されているリムーバブルな第１の記録媒体から当該固有のシリアル番号と当該音楽データとを読み出す第１の読出手段と、
上記第１の読出手段により読み出した音楽データに所定の処理を行なう処理手段と、
上記処理手段による処理後の音楽データに上記第１の読出手段で読み出したシリアル番号を関連づけて第２の記録媒体に記録する第１の記録手段と、
イメージデータが記憶されているメモリを有する端末装置にネットワークを介して接続する接続手段と、
上記接続手段により接続された端末装置のメモリから、所定のイメージデータを読み出す第２の読出手段と、
上記第２の読出手段により読み出したイメージデータを、上記第２の記録媒体に記録されている所定のシリアル番号に関連づけて上記第２の記録媒体に記録する第２の記録手段とを備えることを特徴とする記録再生装置。
【発明の詳細な説明】
【０００１】
【発明の属する技術分野】
本発明は、媒体に音楽データを記録し、記録した音楽データを再生する記録再生装置に関し、詳しくは、記録した音楽データの再生とともに当該音楽データに関連したイメージデータを表示する記録再生装置に関する。
【０００２】
【従来の技術】
音声データが記録された記録媒体に対応する機器としてＣＤ（Ｃｏｍｐａｃｔ  Ｄｉｓｃ）プレーヤや、ＭＤ（Ｍｉｎｉ  Ｄｉｓｃ）レコーダ／プレーヤなどが普及している。ユーザー側で行なわれるオーディオデータ等のダビング記録としては、例えばＣＤに記録されている音楽データをＭＤにダビングするようなものがある。また、近年ＣＤやＭＤなどのリムーバブル（着脱可能）な記録媒体に記録されている音楽データをＨＤＤ（Ｈａｒｄ  Ｄｉｓｃ  Ｄｒｉｖｅ）等の固定式の媒体にダビングし、ＨＤＤを例えば音楽サーバのような形態で使用するようなものもある。
【０００３】
なお、ＣＤやＭＤでは、一般的に、１つの曲を１トラックとして、１又は複数のトラックが記録（収録）されている。これらのＣＤやＭＤを記録元とし、他の記録媒体（ＨＤＤ等）へダビングする際に、ＣＤ全体、すなわち記録されている全トラックをダビングする場合も有れば、ユーザが指定したトラックのみをダビングする場合もある。
【０００４】
また、このようなＨＤＤを内蔵し、情報を表示するディスプレイを備える音楽再生装置がある（例えば、特許文献１参照。）。音楽再生装置では、ＨＤＤに記録されている音楽データの再生中に、ディスプレイに曲の番号（トラック番号）及び経過時間等の情報や、曲に関連したイメージが表示される。
【０００５】
【特許文献１】
特開２００２−２１５１７４号公報
【０００６】
【発明が解決しようとする課題】
これは、ＣＤやＭＤから音楽再生装置に内蔵されているＨＤＤ等に音楽データをダビングする際に、所定のイメージデータを当該音楽データに関連づけて記録することにより実現されている。
【０００７】
しかしながら、所定のイメージデータをダビングした音楽データに関連づけるには、専用のプログラムを手動で起動し、ダビングした曲（トラック）のそれぞれに当該イメージデータを関連づける必要があり、多大な時間を要していた。
【０００８】
そこで、本発明は、上述したような実情に鑑みて提案されたものであり、所定のイメージデータを、音楽データが記録されている第１の記録媒体と、ダビングにより第２の記録媒体に記録された音楽データとに簡易に関連づける記録再生装置を提供することを目的とする。
【０００９】
【課題を解決するための手段】
本発明に係る記録再生装置は、上述の課題を解決するために、固有のシリアル番号が付されており、音楽データが記録されているリムーバブルな第１の記録媒体から当該固有のシリアル番号と当該音楽データとを読み出す第１の読出手段と、上記第１の読出手段により読み出した音楽データに所定の処理を行なう処理手段と、上記処理手段による処理後の音楽データに上記第１の読出手段で読み出したシリアル番号を関連づけて第２の記録媒体に記録する第１の記録手段と、イメージデータが記憶されているリムーバブルな記憶媒体が挿入されたかどうかを検出する検出手段と、上記検出手段により上記記憶媒体が挿入されたことを検出した場合には、当該記憶媒体から所定のイメージデータを読み出す第２の読出手段と、上記第２の読出手段により読み出したイメージデータを、上記第２の記録媒体に記録されている所定のシリアル番号に関連づけて上記第２の記録媒体に記録する第２の記録手段とを備える。
【００１０】
また、本発明に係る記録再生装置は、上述の課題を解決するために、固有のシリアル番号が付されており、音楽データが記録されているリムーバブルな第１の記録媒体から当該固有のシリアル番号と当該音楽データとを読み出す第１の読出手段と、上記第１の読出手段により読み出した音楽データに所定の処理を行なう処理手段と、上記処理手段による処理後の音楽データに上記第１の読出手段で読み出したシリアル番号を関連づけて第２の記録媒体に記録する第１の記録手段と、イメージデータが記憶されているメモリを有する端末装置にネットワークを介して接続する接続手段と、上記接続手段により接続された端末装置のメモリから、所定のイメージデータを読み出す第２の読出手段と、上記第２の読出手段により読み出したイメージデータを、上記第２の記録媒体に記録されている所定のシリアル番号に関連づけて上記第２の記録媒体に記録する第２の記録手段とを備える。
【００１１】
【発明の実施の形態】
以下、本発明の実施の形態について図面を参照しながら詳細に説明する。
【００１２】
本発明は、例えば図１に示すような記録再生装置１に適用される。記録再生装置１は、ＣＤ（Ｃｏｍｐａｃｔ  Ｄｉｓｃ）等の光ディスクに記録されている音楽データをＨＤＤ（Ｈａｒｄ  Ｄｉｓｃ  Ｄｒｉｖｅ）に記録するとともに、当該音楽データにイメージデータを関連づけて記録し、ＣＤ又はＨＤＤから音楽データを再生する際に、当該音楽データに関連づけたイメージデータを表示するものである。
【００１３】
記録再生装置１は、光ディスクに記録されている音楽データを再生する光ディスク再生部１０と、所定のイメージデータが記憶されているリムーバブル（着脱可能）なメモリが装着され、当該メモリからイメージデータを読み出すイメージデータ読出部１１と、光ディスク再生部１０から供給される音楽データと、ＨＤＤを有しており、イメージデータ読出部１１から供給されるイメージデータに光ディスクのシリアル番号を関連づけて当該ＨＤＤに記録するＨＤＤ装置１２と、光ディスク再生部１０、イメージデータ読出部１１、ＨＤＤ装置１２、表示データ出力部１５及び操作部１６に接続されており、光ディスク再生部１０、イメージデータ読出部１１及びＨＤＤ装置１２を制御するシステムコントローラ１３と、光ディスク再生部１０又はＨＤＤ装置１２から供給された音楽データを外部の音声出力装置に出力する音楽データ出力部１４と、システムコントローラ１３から供給された各種の表示データを外部の表示部に出力する表示データ出力部１５と、システムコントローラ１３に所定の操作信号ＯＳを入力する操作部１６とが備えられている。
【００１４】
また、光ディスク再生部１０とシステムコントローラ１３との間、イメージデータ読出部１１とシステムコントローラ１３との間、ＨＤＤ装置１２とシステムコントローラ１３との間及び光ディスク再生部１０とＨＤＤ装置１２との間は、相互に各種の制御信号ＣＳを送受信できるようにバスケーブル等により構成されている。
【００１５】
光ディスク再生部１０は、リムーバブルな光ディスクを装填し、当該光ディスクに記録されている音楽データの再生を行なう。光ディスク再生部１０は、詳細は後述するが、光ディスクから読み出した音楽データ（例えば、ＰＣＭデジタルオーディオデータ）をＨＤＤ装置１２及び音楽データ出力部１４に供給する。なお、音楽データ出力部１４は、光ディスク再生部１０から供給された音楽データをスピーカ等の音声出力部に出力する。
【００１６】
イメージデータ読出部１１は、詳細は後述するが、イメージデータが記憶されているメモリから所定のイメージデータを読み出してＨＤＤ装置１２に供給する。
【００１７】
ＨＤＤ装置１２は、詳細は後述するが、光ディスク再生部１０から供給された音楽データと、当該音楽データの付加情報に含まれている光ディスクのシリアル番号とを関連づけてＨＤＤに書き込み、また、イメージデータ読出部１１から供給された所定のイメージデータと、ＨＤＤに記録されている所定のシリアル番号とを関連づけて、当該イメージデータをＨＤＤに書き込む。
【００１８】
また、ＨＤＤ装置１２は、ＨＤＤに記録されている音楽データを読み出し、読み出した音楽データを音楽データ出力部１４に出力する。なお、ータ出力部１４は、ＨＤＤ装置１２から供給された音楽データをスピーカ等の音声出力部に出力する。また、ＨＤＤ装置１２は、音楽データに関連づけられているイメージデータをＨＤＤから読み出し、読み出したイメージデータをシステムコントローラ１３に出力する。
【００１９】
システムコントローラ１３は、マイクロコンピュータにより形成されており、操作部１６から入力された操作信号ＯＳに基づき所定の制御信号ＣＳを生成し、当該制御信号ＣＳによりＣＤ再生部１０、イメージデータ読出部１１及びＨＤＤ装置１２等を制御する。また、ＣＤ再生部１０、イメージデータ読出部１１及びＨＤＤ装置１２は、システムコントローラ１３に対してアンサー信号や、動作状況（ステータス）等の情報信号を送信する。
【００２０】
また、システムコントローラ１３は、ＣＤ再生部１０、イメージデータ読出部１１及びＨＤＤ装置１２から受信した信号又はＨＤＤ装置１２から供給されるイメージデータに基づき所定の表示データを生成し、表示データ出力部１５に出力する。表示データ出力部１５は、システムコントローラ１３から供給された表示データを外部の表示部に出力する。
【００２１】
操作部１６は、ユーザの操作に応じて光ディスク再生部１０に装着されている光ディスクの音楽データの再生、早送り（ＦＦ）、巻き戻し（ＲＥＷ）、頭出し（ＡＭＳ）、ポーズ（一時停止）又は停止等の操作信号を生成し、システムコントローラ１３に供給する。また、操作部１６は、ユーザの操作に応じてＨＤＤ装置１２のＨＤＤにデータの書き込みを行なう操作信号及びデータの読み出しを行なう操作信号を生成しシステムコントローラ１３に供給する。
【００２２】
ここで、光ディスク再生部１０の構成について図２を用いて以下に説明する。
【００２３】
光ディスク再生部１０は、光ディスク２を駆動し、当該光ディスク２から所定の信号を抽出する駆動部２０と、抽出した信号に所定の信号処理を行なう信号処理部２１と、駆動部２０及び信号処理部２１を制御する制御部２２とからなっている。
【００２４】
駆動部２０は、光ディスク２にレーザ光を照射し、反射されてきたレーザ光を信号処理部２１へ供給する光学ヘッド部２３と、光学ヘッド部２３をスレッド駆動するスレッド部２４と、光ディスク２をスピンドル駆動するスピンドル部２５と、光学ヘッド部２３、スレッド部２４及びスピンドル部２５に所定の駆動信号を供給するサーボ回路部２６とを備えている。
【００２５】
信号処理部２１は、光学ヘッド部２３から供給されてきたレーザ光に基づき所定の信号を生成するＲＦアンプ部２７と、ＲＦアンプ部２７から出力された信号にデコード処理を行なうデコーダ部２８とを備えている。
【００２６】
ここで、光ディスク再生部１０により光ディスク２から音楽データを再生するときの動作について述べる。光ディスク２は、スピンドル部２５により一定の線速度（Ｃｏｎｓｔａｎｔ  Ｌｉｎｅｒ  Ｖｅｌｏｃｉｔｙ；ＣＬＶ）で回転駆動される。光学ヘッド部２３は、回転駆動されている光ディスク２にレーザ光を照射し、反射されてきたレーザ光（以下、反射光という。）をＲＦアンプ部２７に供給する。なお、光学ヘッド部２３は、図示しない、レーザ光の光源であるレーザダイオード、反射光を検出するためのフォトディテクタ、レーザ光を光ディスク２に集光する対物レンズ等を備えている。さらに、光学ヘッド部２３は、レーザ光を対物レンズを介して光ディスク２の記録面に照射し、また反射光をフォトディテクタに導く光学系が設けられている。また、対物レンズは、二軸機構によってトラッキング方向（光ディスク２の面内方向）及びフォーカス方向（光ディスク２に対して垂直方向）に移動可能に保持されている。また、光学ヘッド部２３は、全体がスレッド部２４により光ディスク２の半径方向に移動可能となっている。
【００２７】
ＲＦアンプ部２７は、光学ヘッド部２３から供給されてきた反射光に基づき、再生用ＲＦ信号、フォーカスエラー信号（以下、ＦＥ信号という。）及びトラッキングエラー信号（以下、ＴＥ信号という。）等を生成し、再生用ＲＦ信号をデコーダ部２８に供給し、ＦＥ信号及びＴＥ信号をサーボ回路部２６に供給する。
【００２８】
サーボ回路部２６は、ＲＦアンプ部２７から供給されたＦＥ信号及びＴＥ信号に基づき、フォーカス駆動信号、トラッキング駆動信号及びスレッド駆動信号を生成する。サーボ回路部２６は、フォーカス駆動信号とトラッキング駆動信号を光学ヘッド部２３に供給し、光学ヘッド部２３の対物レンズをフォーカス方向及び／又はトラッキング方向に制御する。また、サーボ回路部２６は、ＴＥ信号の低域成分や、制御部２２からのアクセス指示信号に応じて、スレッド駆動信号を生成し、生成したスレッド駆動信号をスレッド部２４に供給し、光学ヘッド部２３をスレッド方向（光ディスク２の面内方向）に制御する。また、サーボ回路部２６は、制御部２２から供給されるスピンドルエラー信号やスピンドルキック／ブレーキ信号に基づいてスピンドル駆動信号を生成し、生成したスピンドル駆動信号をスピンドル部２５に供給し、光ディスク２の回転数を制御する。
【００２９】
デコーダ部２８は、ＲＦアンプ部２７から供給された再生用ＲＦ信号にＥＦＭ復調やＣＩＲＣデコード等を行ない光ディスク２から読み取ったデータを１６ビット量子化処理を行い、４４．１ｋＨｚサンプリングのデジタルオーディオデータＳ１（以下、データＳ１という。）にデコードする。デコーダ部２８は、データＳ１をＨＤＤ装置１２及び音楽データ出力部１４に供給する。また、デコーダ部２８は、再生用ＲＦ信号から光ディスク２の付加情報（光ディスク２に付されている固有の番号であるシリアル番号及びＴＯＣ（Ｔａｂｌｅ  Ｏｆ  Ｃｏｎｔｅｎｔｓ）等）や再生中の情報（再生中の曲の経過時間、再生中の曲の残量時間、全体の経過時間及び全体の残量時間等）を抽出し、抽出した付加情報及び再生中の情報を制御部２２に供給する。
【００３０】
制御部２２は、デコーダ部２８から供給された付加情報に基づき、光ディスク２に収録されているトラック数（記録されている音楽データの曲の数に相当する。）や、各種のアドレス等を判別し、駆動部２０及び信号処理部２１に所定の制御信号を送信する。なお、付加情報は、光ディスク２の最内周に記録されており、音楽データを再生する前に光ディスク２から読み出される。また、制御部２２は、ＨＤＤ装置１２及びシステムコントローラ１３と各種の制御信号ＣＳの通信を行なう。
【００３１】
つぎに、イメージデータ読出部１１について図３を用いて説明する。イメージデータ読出部１１は、イメージデータが記憶されているリムーバブルなメモリが装着される装着部３０と、装着部３０にメモリが装着されたことを検出する検出部３１と、検出部３１の検出結果に応じて、メモリ部の中から所定のイメージデータを選択し、読み出す選択読出部３２とを備えている。
【００３２】
装着部３０に装着されるメモリには、予め撮像装置等により撮像されたイメージデータが記憶されている。また、メモリに記憶されているイメージデータには、所定の情報が付加されおり、選択読出部３２は、当該情報に基づいて所定のイメージデータを選択し、読み出す。また、イメージデータは、撮像装置等で撮像され、その後ＰＣ（Ｐｅｒｓｏｎａｌ  Ｃｏｍｐｕｔｅｒ）等で編集処理を施したものであっても良いし、所定のアプリケーションで生成したものであっても良い。また、イメージデータに付加される情報は、選択読出部３２により所定のイメージデータを選択し、読み出す際に利用できるものであれば良く、例えば、撮像（生成）年月日や特殊なフラグ等である。また、イメージデータは、静止画像であっても良いし、動画像であっても良い。
【００３３】
選択読出部３２は、メモリが装着部３０に装着されたことを検出部３１から通知された際に、自動的にメモリに記憶されているデータにアクセスし、イメージデータに付加されている情報に基づき、所定のイメージデータを選択し、読み出す。選択読出部３２は、読み出したイメージデータをＨＤＤ装置１２に供給する。
【００３４】
なお、イメージデータ読出部１１は、上述したようなリムーバブルなメモリからイメージデータを読み出す構成ではなく、インターネット等のネットワーク通信機能に接続可能なインターフェースを備え、図示しない外部サーバから所定のイメージデータを読み出す構成であっても良い。
【００３５】
つぎに、ＨＤＤ装置１２の構成について図４を用いて説明する。ＨＤＤ装置１２は、光ディスク再生部１０から供給されてきたデータＳ１及びバッファ４１から供給されてきたデータに所定の処理を行なう音声圧縮エンコーダ／デコーダ部４０と、音声圧縮エンコーダ／デコーダ部４０及びＨＤＤ制御部４２から供給されてきたデータを一時的に記憶するバッファ４１と、システムコントローラ１３又は光ディスク再生部１０から供給される制御信号ＣＳに基づき、バッファ４１から供給されてきたデータをＨＤＤ４３に書き込む制御を行ない、かつ、ＨＤＤ４３からデータを読み出す制御を行なうＨＤＤ制御部４２と、ＨＤＤ制御部４２の制御により所定のデータが書き込まれ、かつ、読み出されるＨＤＤ４３とを備えている。
【００３６】
このように構成されている記録再生装置１において、光ディスク再生部１０に装着されている光ディスク２から音楽データを読み出し、読み出した音楽データに所定の処理を行ないＨＤＤ装置１２のＨＤＤ４３に書き込む動作について図５に示すフローチャートを用いて説明する。
【００３７】
ステップＳＴ１において、ユーザは、ＨＤＤ４３に記録したい音楽データが記録された光ディスク２を光ディスク再生部１０に装着する。
【００３８】
ステップＳＴ２において、光ディスク再生部１０は、装着された光ディスク２から付加情報を読み出しシステムコントローラ１３に供給する。
【００３９】
ステップＳＴ３において、システムコントローラ１３は、供給された付加情報に基づき光ディスク２に記録されている音楽データの演奏リストを生成し、表示データ出力部１５に出力する。表示データ出力部１５は、演奏リストを表示部に表示する。なお、演奏リストは、後述するユーザによる曲（トラック）の選択時に寄与するものであれば良く、例えば、光ディスク２に記録されている音楽データが各曲（トラック）ごとに区分けされたトラック情報と、各トラックに対応する演奏時間等からなっている。
【００４０】
ステップＳＴ４において、ユーザは、表示部に表示されている演奏リストに基づき、操作部１６によりＨＤＤ４３に記録する音楽データの選択を行なう。なお、演奏リストに示されている全ての曲（全トラック）が選択されても良い。また、音楽データの選択操作時に、他の設定（例えば、ＨＤＤ４３に記録する元の光ディスク２のファイル名の入力、ＨＤＤ４３に記録する各トラックのファイル名の入力、光ディスク２から音楽データを読み出すときのフォーマット（形式（ＰＣＭ、ＧＳＭ６．１０等）及び属性（４４．１ｋＨｚ−１６ビット−ステレオ、４４．１ｋＨｚ−１６ビット−モノラル等））の選択等。）も行なわれる。
【００４１】
ステップＳＴ５において、操作部１６は、ユーザによるステップＳＴ４の選択操作に応じて操作信号を生成し、システムコントローラ１３に供給する。
【００４２】
ステップＳＴ６において、システムコントローラ１３は、供給された操作信号に基づき所定の制御信号ＣＳを生成し、光ディスク再生部１０に供給する。
【００４３】
ステップＳＴ７において、光ディスク再生部１０は、供給された制御信号ＣＳに基づいて所定の音楽データを読み出し、ＨＤＤ装置１２に供給する。
【００４４】
ステップＳＴ８において、ＨＤＤ装置１２は、供給された音楽データを当該音楽データが記録されている光ディスク２の付加情報に含まれているシリアル番号と関連づけてＨＤＤ４３に記録する。
【００４５】
ここで、ＨＤＤ装置１２において音楽データとシリアル番号を関連づける処理を行ないＨＤＤ４３に音楽データを記録する動作について説明する。音声圧縮エンコーダ／デコーダ部４０は、光ディスク再生部１０から供給されてきた音楽データ（データＳ１）に、例えば、ＡＴＲＡＣ（Ａｄａｐｔｉｖｅ  Ｔｒａｎｓｆｏｒｍ  Ａｃｏｕｓｔｉｃ  Ｃｏｄｉｎｇ）３方式等のデータ圧縮処理を行ない、データ圧縮処理後のデータＳ１（以下、圧縮後データＳ１という。）を生成し、生成した圧縮後データＳ１をバッファ４１を介してＨＤＤ制御部４２に供給する。なお、圧縮方式は、ＡＴＲＡＣ３ではなく、例えばＭＰＥＧ（Ｍｏｔｉｏｎ  Ｐｉｃｔｕｒｅ  Ｅｘｐｅｒｔｓ  Ｇｒｏｕｐ）オーディオ等の他の圧縮方式でも良い。
【００４６】
ＨＤＤ制御部４２は、ＨＤＤ４３へのアクセス、読み出し及び書き込みを実現するためのファイルシステム（例えば、ＦＡＴ３２ファイルシステム。）を内蔵しており、バッファ４１を介して供給されてきた圧縮後データＳ１を当該ファイルシステムにしたがって、ＨＤＤ４３に書き込む。また、ＨＤＤ制御部４２では、１トラック分の音楽データをＨＤＤ４３に書き込んだときに、光ディスク再生部１０から供給されてくる付加情報に含まれているシリアル番号を、そのトラックに関連づける処理を行なう。なお、ＨＤＤ制御部４２では、付加情報に含まれているＴＯＣを参照して、１トラック分の音楽データの認識を行なう。
【００４７】
例えば、図６に示すように、６トラック（６曲）記録されている光ディスクＡ（付されているシリアル番号を００１とする。）と、４トラック（４曲）記録されている光ディスクＢ（付されているシリアル番号を００２とする。）から音楽データを読み出し、読み出した音楽データにシリアル番号を関連づけてＨＤＤ４３に書き込みを行なうと、音楽データは、トラックごとにシリアル番号が関連づけられてＨＤＤ４３に書き込まれる。
【００４８】
つぎに、上述のようにＨＤＤ４３に記録された音楽データに、所定のイメージデータを関連づける処理を行なう動作について図７に示すフローチャートを用いて説明する。
【００４９】
ステップＳＴ１０において、ユーザは、所定のイメージデータが記憶されているメモリをイメージデータ読出部１１に装着する。
【００５０】
ステップＳＴ１１において、イメージデータ読出部１１は、メモリが装着されたことをシステムコントローラ１３に通知する。なお、イメージデータ読出部１１は、メモリが装着された際にメモリに所定のイメージデータが格納されているかどうかのチェックを行なっても良い。
【００５１】
ステップＳＴ１２において、システムコントローラ１３は、所定のプログラムを起動する。以下、ステップＳＴ１３〜ステップＳＴ１５は、当該プログラムにしたがって、所定の処理を行なう。
【００５２】
ステップＳＴ１３において、ＨＤＤ制御部４２は、ＨＤＤ４３に記録されている所定のシリアル番号にイメージデータが関連づけられているかどうかを確認する。所定のシリアル番号にイメージデータが関連づけられていない場合には、ＨＤＤ制御部４２は、システムコントローラ１３にその旨を通知する。
【００５３】
ステップＳＴ１４において、システムコントローラ１３は、イメージデータ読出部１１に所定の信号を送信する。イメージデータ読出部１１は、システムコントローラ１３からの信号に応じて、装着されているメモリから所定のイメージデータを読み出し、ＨＤＤ装置１２に出力する。
【００５４】
ステップＳＴ１５において、ＨＤＤ制御部４２は、ステップＳＴ１３で確認した所定のシリアル番号にイメージデータ読出部１１から供給されてきたイメージデータを関連づける処理を行ない、当該イメージデータをＨＤＤ４３に記録する。なお、ＨＤＤ制御部４２は、例えば、ＨＤＤ４３に記録されているシリアル番号の中から、記録された日時が一番新しいシリアル番号にイメージデータを関連づける処理を行なう。ＨＤＤ制御部４２は、イメージデータの関連づけが終了した場合、その旨をシステムコントローラ１３に通知する。
【００５５】
ステップＳＴ１６において、システムコントローラ１３は、ステップＳＴ１２で起動したプログラムを終了する。
【００５６】
上述したステップＳＴ１〜ステップＳＴ８の工程及びステップＳＴ１０〜ステップＳＴ１６の工程により、ＨＤＤ４３には、シリアル番号を介して関連づけられた音楽データとイメージデータと記録される。
【００５７】
例えば、ユーザは、上述した光ディスクＡのパッケージに記録されているジャケット写真を撮像機器等で撮像し、撮像したイメージデータＡをメモリに記憶し、当該メモリをイメージデータ読出部１１に装着する。イメージデータ読出部１１は、上述したように当該メモリからイメージデータＡを読み出してＨＤＤ装置１２に供給する。ＨＤＤ制御部４２は、イメージデータＡが供給されたことを確認し、ＨＤＤ４３に記録されているすべてのシリアル番号００１に当該イメージデータＡを関連づける処理を行ない、当該イメージデータＡをＨＤＤ４３に記録する（図８）。また、ＨＤＤ制御部４２は、イメージデータ読出部１１からイメージデータＢが供給されたときにも同様にシリアル番号００２に当該イメージデータＢを関連づける処理を行ない、当該イメージデータＢをＨＤＤ４３に記録する（図８）。
【００５８】
ここで、シリアル番号を介して音楽データとイメージデータとが関連づけられて、記録されているＨＤＤ４３を有する記録再生装置１において、当該ＨＤＤ４３から音楽データを再生する動作について図９に示すフローチャートにしたがって説明する。
【００５９】
ステップＳＴ２０において、システムコントローラ１３は、ユーザの要求に応じてＨＤＤ装置１２に備えられているＨＤＤ４３に記録されている音楽データに基づき生成した演奏リストを表示部に表示させる。なお、演奏リストには、ユーザが音楽データを容易に選択できるように、例えば、音楽データのトラック番号と、曲名と、アーティスト名等の文字情報と、当該音楽データに関連づけられているイメージデータ等の画像情報とからなっている。
【００６０】
ステップＳＴ２１において、ユーザは、表示部に表示されている演奏リストから所望のトラックを選択する。なお、この選択は操作部１６により行なう。
【００６１】
ステップＳＴ２２において、操作部１６は、所定の操作信号を生成してシステムコントローラ１３に供給する。
【００６２】
ステップＳＴ２２において、システムコントローラ１３は、操作部１６から供給された操作信号に基づきＨＤＤ４３から所定の音楽データと、当該音楽データに関連付けられているイメージデータを読み出す処理を行なう。ＨＤＤ４３から読み出された音楽データは、音楽データ出力部１４に供給され、スピーカ等の音声出力部から出力される。また、ＨＤＤ４３から読み出されたイメージデータは、システムコントローラ１３に供給され、所定の表示データに変換されて表示データ出力部１５に供給され、表示部に出力される。なお、ＨＤＤ４３から音楽データを読み出す際には、音声圧縮エンコーダ／デコーダ部４０は、バッファ４１を介してＨＤＤ４３から供給されてくるデータに、エンコード処理を行ない、処理後のデータを音楽データ出力部１４に供給する。
【００６３】
また、シリアル番号を介して音楽データとイメージデータとが関連づけられて、記録されているＨＤＤ４３を有する記録再生装置１において、光ディスク再生部１０に装着されている光ディスク２から音楽データを再生する動作について図１０に示すフローチャートにしたがって説明する。なお、上述したように、記録再生装置１では、光ディスク２が光ディスク再生部１０に装着されたときに、光ディスク２の付加情報（シリアル番号及びＴＯＣ等を含んでいる。）は自動的に読み出され、システムコントローラ１３に供給されている。
【００６４】
ステップＳＴ３０において、システムコントローラ１３は、ユーザの要求に応じて光ディスク２の付加情報からシリアル番号を抽出する。
【００６５】
ステップＳＴ３１において、システムコントローラ１３は、抽出したシリアル番号に基づきＨＤＤ４３に同一のシリアル番号があるかどうかの検索を実行する。光ディスク２のシリアル番号と同一のシリアル番号がＨＤＤ４３に記録されている場合には、ステップＳＴ３２に進む。
【００６６】
ステップＳＴ３２において、システムコントローラ１３は、ステップＳＴ３１の工程で発見したシリアル番号にイメージデータが関連づけられているかどうかを確認する。シリアル番号にイメージデータが関連づけられている場合には、ステップＳＴ３３に進む。
【００６７】
ステップＳＴ３３において、システムコントローラ１３は、ステップＳＴ３１の工程で発見したシリアル番号に関連づけられて記録されているイメージデータをＨＤＤ４３から読み出す。
【００６８】
ステップＳＴ３４において、システムコントローラ１３は、ステップＳＴ３３の工程で読み出してきたイメージデータと、付加情報に基づき演奏リストを生成し、表示部に表示させる。なお、演奏リストには、ユーザが音楽データを容易に選択できるように、例えば、音楽データのトラック番号等の文字情報と、イメージデータ等の画像情報とからなっている。
【００６９】
ステップＳＴ３５において、ユーザは、表示部に表示されている演奏リストから所望のトラックを選択する。なお、この選択は操作部１６により行なう。
【００７０】
ステップＳＴ３６において、操作部１６は、所定の操作信号を生成してシステムコントローラ１３に供給する。
【００７１】
ステップＳＴ３７において、システムコントローラ１３は、操作部１６から供給された操作信号に基づき光ディスク２から所定の音楽データを読み出す処理を行なう。光ディスク２から読み出された音楽データは、音楽データ出力部１４に供給され、スピーカ等の音声出力部から出力される。また、システムコントローラ１３は、ステップＳＴ３３の工程によりＨＤＤ４３から読み出したイメージデータを、所定の表示データに変換して表示データ出力部１５に供給し、表示部に出力させる。
【００７２】
このように構成された記録再生装置１では、固有のシリアル番号が付されている光ディスク２から音楽データを読み出し、読み出した音楽データに所定の処理を行ない、処理後の音楽データにシリアル番号を関連づけてＨＤＤ４３に記録し、当該光ディスク２に関連性のあるイメージデータが記憶されたメモリがイメージデータ読出部に装着されたときに、自動的に所定のプログラムを起動し、当該プログラムにしたがって、当該イメージデータが所定のシリアル番号に関連づけられてＨＤＤ４３に記録されるので、シリアル番号を介して音楽データとイメージデータとを関連づけることができる。したがって、本発明に係る記録再生装置１は、光ディスク２に関連性のあるイメージデータをＨＤＤ４３に記録した音楽データに関連づけて記録することができ、また、当該イメージデータを用いて演奏リストの生成を行うので、光ディスク２及びＨＤＤ４３から所望の音楽データを容易に検索することができる。なお、本発明に係る記録再生装置１では、光ディスク２をＣＤ−ＤＡ（ＣＤ  Ｄｉｇｉｔａｌ  Ａｕｄｉｏ）として説明を行ったが、固有のシリアル番号を有した媒体であれば、ＭＤ（Ｍｉｎｉ  Ｄｉｓｃ）等の他の媒体でも良い。
【００７３】
【発明の効果】
以上詳細に説明したように、本発明に係る記録再生装置は、固有のシリアル番号が付されている光ディスクから音楽データを読み出し、読み出した音楽データに所定の処理を行ない、処理後の音楽データにシリアル番号を関連づけてＨＤＤに記録し、当該光ディスクに関連性のあるイメージデータが記憶されたメモリがイメージデータ読出部に装着されたときに、自動的に所定のプログラムを起動し、当該プログラムにしたがって、当該イメージデータが所定のシリアル番号に関連づけられてＨＤＤに記録されるので、シリアル番号を介して音楽データとイメージデータとを関連づけることができる。したがって、本発明に係る記録再生装置は、光ディスクに関連性のあるイメージデータをＨＤＤに記録した音楽データに関連づけて記録することができ、また、当該イメージデータを用いて演奏リストの生成を行うので、光ディスク及びＨＤＤから所望の音楽データを容易に検索することができる。
【図面の簡単な説明】
【図１】本発明を適用した記録再生装置の構成を示すブロック図である。
【図２】本発明を適用した記録再生装置が備えている光ディスク再生部の構成を示すブロック図である。
【図３】本発明を適用した記録再生装置が備えているイメージデータ読出部の構成を示すブロック図である。
【図４】本発明を適用した記録再生装置が備えているＨＤＤ装置の構成を示すブロック図である。
【図５】本発明を適用した記録再生装置により光ディスクに記録されている音楽データをＨＤＤに記録する際の動作について示すフローチャートである。
【図６】本発明を適用した記録再生装置により光ディスクから読み出した音楽データをシリアル番号と関連づけてＨＤＤに記録した際のファイル形態を説明するための図である。
【図７】本発明を適用した記録再生装置によりイメージデータをＨＤＤに記録されている所定の音楽データに関連づけて記録する動作について示すフローチャートである。
【図８】本発明を適用した記録再生装置によりイメージデータをＨＤＤに記録されている所定の音楽データに関連づけて記録した際のファイル形態を説明するための図である。
【図９】本発明を適用した記録再生装置によりＨＤＤに記録されている音楽データ及び当該音楽データに関連づけられているイメージデータを読み出す動作について示すフローチャートである。
【図１０】本発明を適用した記録再生装置により光ディスクに記録されている音楽データを再生し、ＨＤＤに記録されている当該音楽データに関連づけられているイメージデータを読み出す動作について示すフローチャートである。
【符号の説明】
１  記録再生装置、１０  光ディスク再生部、１１  イメージデータ読出部、１２  ＨＤＤ装置、１３  システムコントローラ、１４  音楽データ出力部、１５  表示データ出力部、１６  操作部、２０  駆動部、２１  信号処理部、２２制御部、２３  光学ヘッド部、２４  スレッド部、２５  スピンドル部、２６サーボ回路部、２７  ＲＦアンプ部、２８  デコーダ部、３０  装着部、３１検出部、３２  選択読出部、４０  音声圧縮エンコーダ／デコーダ部、４１  バッファ、４２  ＨＤＤ制御部、４３  ＨＤＤ
【図１】
2004295994.tif 000003
【図２】
2004295994.tif 000004
【図３】
2004295994.tif 000005
【図４】
2004295994.tif 000006
【図５】
2004295994.tif 000007
【図６】
2004295994.tif 000008
【図７】
2004295994.tif 000009
【図８】
2004295994.tif 000010
【図９】
2004295994.tif 000011
【図１０】
2004295994.tif 000012